(57)【要約】【課題】本発明は、ベース部材に対する外壁用役物の係合の容易さとベース部材に対する外壁用役物の係合強度とを両立できる外壁用役物を提供することを目的とするものである。【解決手段】第１及び第２壁部５１，５２に外力が加えられていない状態での外壁用役物５の裏側における第１壁部５１と第２壁部５２との間の角度θ２が、第１外壁材の外面の延長面と第２外壁材の外面の延長面とがなす角度よりも大きくされている。第１及び第２壁部５１，５２が第１及び第２外壁材に押付けられて、第１壁部５１が第１外壁材の外面に沿わされるとともに、第２壁部５２が第２外壁材の外面に沿わされることで、第１延出部５３の係合爪５３ａと第２延出部５４の係合爪５４ａとが互いに離れる方向に変位される。【選択図】図３
2015175208.tif 000002
【特許請求の範囲】
【請求項１】
建築物の窪んだ角において出合った第１及び第２外壁材の間に生じる隙間を覆うための外壁用役物であって、
前記第１外壁材の外面に沿わされる第１壁部と、
前記第１壁部が前記第１外壁材の外面に沿わされる際に前記隙間に挿入されるように前記第１壁部から延出されるとともに先端に係合爪が形成された第１延出部と、
前記第２外壁材の外面に沿わされる第２壁部と、
前記第２壁部が前記第２外壁材の外面に沿わされる際に前記隙間に挿入されるように前記第２壁部から延出されるとともに先端に係合爪が形成された第２延出部と
を備え、
前記第１及び第２壁部に外力が加えられていない状態での外壁用役物の裏側における前記第１壁部と前記第２壁部との間の角度は、前記第１外壁材の外面の延長面と前記第２外壁材の外面の延長面とがなす角度よりも大きくされており、
前記第１及び第２壁部が前記第１及び第２外壁材に押付けられて、前記第１壁部が前記第１外壁材の外面に沿わされるとともに、前記第２壁部が前記第２外壁材の外面に沿わされることで、前記第１延出部の係合爪と前記第２延出部の係合爪とが互いに離れる方向に変位される
ことを特徴とする外壁用役物。
【請求項２】
前記第１及び第２壁部に外力が加えられていない状態での外壁用役物の裏側における前記第１壁部と前記第２壁部との間の角度は、前記第１外壁材の外面の延長面と前記第２外壁材の外面の延長面とがなす角度の１１７％以下かつ１０５％以上の角度であることを特徴とする請求項１記載の外壁用役物。
【請求項３】
前記第１及び第２壁部に外力が加えられていない状態での外壁用役物の裏側における前記第１壁部と前記第２壁部との間の角度は、前記第１外壁材の外面の延長面と前記第２外壁材の外面の延長面とがなす角度の１３４％以下かつ１０１％以上の角度であることを特徴とする請求項１記載の外壁用役物。
【発明の詳細な説明】
【技術分野】
【０００１】
本発明は、外壁材の間に生じた隙間を覆う外壁用役物に関する。
【背景技術】
【０００２】
一般に、建築躯体に複数の外壁材を取付けることで建築物の外壁を形成することが行われている。外壁材の間には隙間が生じるため、外壁用役物によって隙間が覆われる。
【０００３】
建築物の窪んだ角において出合った第１及び第２外壁材の間に生じる隙間を覆う外壁用役物として、例えば下記の特許文献１等に記載された構成を挙げることができる。すなわち、従来の外壁用役物は、第１及び第２壁部と、第１及び第２延出部とを有している。
第１壁部は、外壁用役物が隙間を覆う際に第１外壁材に沿わされる部分である。同様に、第２壁部は、外壁用役物が隙間を覆う際に第２外壁材に沿わされる部分である。これら第１及び第２壁部は、第１及び第２壁部の間の角度が第１外壁材の外面の延長面と第２外壁材の外面の延長面とがなす角度に一致するように形成されている。第１延出部は、第１壁部から延出されるとともに、先端に係合爪が形成されたものである。第２延出部は、第２壁部から延出されるとともに、先端に係合爪が形成されたものである。
【０００４】
このような外壁用役物を建築躯体に固定するために、建築物の窪んだ角の建築躯体にベース部材が固定される。ベース部材は、両側の側壁に係合爪が形成された係合溝を有している。第１及び第２延出部が係合溝に挿入されて、第１及び第２延出部の係合爪が係合溝の係合爪に係合されることで、外壁用役物が建築躯体に固定される。
【先行技術文献】
【特許文献】
【０００５】
【特許文献１】特開２０１３−１５１８０７号公報
【発明の概要】
【発明が解決しようとする課題】
【０００６】
ここで、ベース部材に対する外壁用役物の係合の容易さ及び係合強度は、第１及び第２延出部の係合爪の外端間距離により決まる。
具体的には、第１及び第２延出部の係合爪の外端間距離を狭くすると、第１及び第２延出部を係合溝に挿入しやすくなり、外壁用役物をベース部材に係合しやすくなる。しかしながら、第１及び第２延出部の係合爪の外端間距離を狭くすると、第１及び第２延出部の係合爪と係合溝の係合爪との係合が弱くなってしまう。
一方で、第１及び第２延出部の係合爪の外端間距離を広くすると、ベース部材に対する外壁用役物の係合強度を高くすることができる。しかしながら、第１及び第２延出部の係合爪の外端間距離を広くすると、第１及び第２延出部を係合溝に挿入しづらくなり、外壁用役物をベース部材に係合しにくくなる。
すなわち、ベース部材に対する外壁用役物の係合の容易さ及び係合強度は、互いに相反するものであり、一方を重視すれば他方が悪くなる。
【０００７】
上記のような従来の外壁用役物では、第１及び第２壁部の間の角度が第１外壁材の外面の延長面と第２外壁材の外面の延長面とがなす角度に一致するように第１及び第２壁部が形成されているので、外壁用役物をベース部材に係合させる際に、第１及び第２延出部の係合爪の外端間距離が変わることはない。このため、係合の容易さを重視すると係合強度が下がり、係合強度を重視すると係合の容易さが失われる。
【０００８】
本発明は、上記のような課題を解決するためになされたものであり、その目的は、ベース部材に対する外壁用役物の係合の容易さとベース部材に対する外壁用役物の係合強度とを両立できる外壁用役物を提供することである。
【課題を解決するための手段】
【０００９】
本発明に係る外壁用役物は、建築物の窪んだ角において出合った第１及び第２外壁材の間に生じる隙間を覆うための外壁用役物であって、第１外壁材の外面に沿わされる第１壁部と、第１壁部が第１外壁材の外面に沿わされる際に隙間に挿入されるように第１壁部から延出されるとともに先端に係合爪が形成された第１延出部と、第２外壁材の外面に沿わされる第２壁部と、第２壁部が第２外壁材の外面に沿わされる際に隙間に挿入されるように第２壁部から延出されるとともに先端に係合爪が形成された第２延出部とを備え、第１及び第２壁部に外力が加えられていない状態での外壁用役物の裏側における第１壁部と第２壁部との間の角度は、第１外壁材の外面の延長面と第２外壁材の外面の延長面とがなす角度よりも大きくされており、第１及び第２壁部が第１及び第２外壁材に押付けられて、第１壁部が第１外壁材の外面に沿わされるとともに、第２壁部が第２外壁材の外面に沿わされることで、第１延出部の係合爪と第２延出部の係合爪とが互いに離れる方向に変位される。
【発明の効果】
【００１０】
本発明の外壁用役物によれば、第１及び第２壁部に外力が加えられていない状態での外壁用役物の裏側における第１壁部と第２壁部との間の角度は、第１外壁材の外面の延長面と第２外壁材の外面の延長面とがなす角度よりも大きくされており、第１及び第２壁部が第１及び第２外壁材に押付けられて、第１壁部が第１外壁材の外面に沿わされるとともに、第２壁部が第２外壁材の外面に沿わされることで、第１延出部の係合爪と第２延出部の係合爪とが互いに離れる方向に変位されるので、係合溝への挿入時に第１及び第２延出部の係合爪の外端間距離を狭くしつつ、係合溝内で第１及び第２延出部の係合爪の外端間距離を広くすることができ、ベース部材に対する外壁用役物の係合の容易さとベース部材に対する外壁用役物の係合強度とを両立できる。
【図面の簡単な説明】
【００１１】
【図１】本発明の実施の形態１による外壁用役物を含む建築物の外壁構造を示す斜視図である。
【図２】図１の外壁用役物を示す斜視図である。
【図３】図２の外壁用役物を示す平面図である。
【図４】図３の第１及び第２壁部間が押し広げられた状態の外壁用役物５を示す平面図である。
【図５】図２の第１及び第２壁部が第１及び第２外壁材に沿わされていない状態を示す説明図である。
【図６】図２の第１及び第２壁部が第１及び第２外壁材に沿わされている状態を示す説明図である。
【発明を実施するための形態】
【００１２】
以下、本発明を実施するための形態について、図面を参照して説明する。
実施の形態１．
図１は、本発明の実施の形態１による外壁用役物を含む建築物の外壁構造を示す斜視図である。例えば家屋等の建築物には、柱等の建築躯体１が設けられている。図１に示す建築躯体１は、建築物の窪んだ角に配置されている。建築物の突出する角では、建築物の異なる面に配置された第１及び第２外壁材２，３が入合う。第１及び第２外壁材２，３の間には、建築物の高さ方向に沿って延在された隙間４が生じている。隙間４は、全体として断面Ｌ字状に形成された外壁用役物５によって覆われている。建築躯体１には、ベース部材６が固定されている。このベース部材６に外壁用役物５が係合されることで、建築躯体１に対して外壁用役物５が固定されている。
【００１３】
本実施の形態では、第１外壁材２の外面２ａの延長面と第２外壁材３の外面３ａの延長面とがなす角度θ１が９０°であると説明する。但し、第１外壁材２の外面２ａの延長面と第２外壁材３の外面３ａの延長面とがなす角度θ１は、９０°に限定されず、建築物の設計によって任意の角度とすることができる。
【００１４】
次に、図２は、図１の外壁用役物５を示す斜視図である。図において、外壁用役物５には、化粧部５０、第１壁部５１、第２壁部５２、第１延出部５３及び第２延出部５４が設けられている。これら化粧部５０、第１壁部５１、第２壁部５２、第１延出部５３及び第２延出部５４は、一枚の素材板体が屈曲加工されることで形成されている。
【００１５】
化粧部５０は、屈曲部５０ａを有する断面Ｌ字状に構成されている。化粧部５０の表面は、図１のように外壁用役物５が隙間４を覆うように配置された際に建築物の外面に表れる。
【００１６】
第１壁部５１は、幅方向に沿う化粧部５０の一端５０ｂから化粧部５０の裏面に沿って延在されている。第２壁部５２は、幅方向に沿う化粧部５０の他端５０ｃから化粧部５０の裏面に沿って延在されている。すなわち、第１及び第２壁部５１，５２は、化粧部５０を介して一体に設けられている。第１壁部５１は、図１のように外壁用役物５が隙間４を覆うように配置された際に第１外壁材２に沿わされる。同様に、第２壁部５２は、図１のように外壁用役物５が隙間４を覆うように配置された際に第２外壁材３に沿わされる。
【００１７】
第１延出部５３は、上述のように第１壁部５１が第１外壁材２に沿わされた際に第１及び第２外壁材２，３の間の隙間４に挿入されるように第１壁部５１から延出されている（図１参照）。第２延出部５４は、上述のように第２壁部５２が第２外壁材３に沿わされた際に第１及び第２外壁材２，３の間の隙間４に挿入されるように第２壁部５２から延出されている（図１参照）。
【００１８】
第１及び第２延出部５３，５４の先端部には、係合爪５３ａ，５４ａが設けられている。係合爪５３ａ，５４ａは、第１及び第２延出部５３，５４を構成する板材の先端が互いに逆方向に折り返されることで形成されている。係合爪５３ａ，５４ａは、第１及び第２延出部５３，５４の先端側で互いに近接しているとともに、第１及び第２延出部５３，５４の後端側に向かうにつれて互いに離れている。
【００１９】
次に、図３は、図２の外壁用役物５を示す平面図であり、第１及び第２壁部５１，５２に外力を加えていない状態を示している。図３に示すように、本実施の形態の外壁用役物５では、第１及び第２壁部５１，５２に外力を加えていない状態での外壁用役物５の裏側（建築物側）における第１壁部５１と第２壁部５２との間の角度θ２は１００°とされている。すなわち、第１及び第２壁部５１，５２に外力を加えていない状態での第１壁部５１と第２壁部５２との間の角度θ２は、第１外壁材２の外面２ａの延長面と第２外壁材３の外面３ａの延長面とがなす角度θ１（９０°：図１参照）よりも大きくされている。なお、第１及び第２壁部５１，５２に外力を加えていない状態とは、後述のように第１及び第２壁部５１，５２間を近づけるように意図的に力を加えていない状態を意味する。
【００２０】
後に詳しく説明するように、第１及び第２壁部５１，５２に外力を加えていない状態での第１壁部５１と第２壁部５２との間の角度θ２は、第１外壁材２の外面２ａの延長面と第２外壁材３の外面３ａの延長面とがなす角度θ１の１３４％以下かつ１０１％以上の角度（θ１×１．０１≦θ２≦θ１×１．３４）、好ましくは１１７％以下かつ１０５％以上の角度（θ１×１．０５≦θ２≦θ１×１．１７）が良い。
【００２１】
本実施の形態では、第１及び第２壁部５１，５２に外力を加えていない状態での係合爪５３ａ，５４ａの外端間距離ｔ１は４．８ｍｍとされている。
【００２２】
次に、図４は、図３の第１及び第２壁部５１，５２間が近づけられた状態の外壁用役物５を示す平面図である。図４に示すように、第１及び第２壁部５１，５２に外力が加えられて第１及び第２壁部５１，５２間が近づけられると、第１延出部５３の係合爪５３ａと第２延出部５４の係合爪５４ａとが互いに離れる方向に変位される。第１壁部５１と第２壁部５２との間の角度θ２が９０°になるまで近づけられると、係合爪５３ａ，５４ａの外端間距離ｔ１は７．０ｍｍまで広がる。
【００２３】
次に、図５は図２の第１及び第２壁部５１，５２が第１及び第２外壁材２，３に沿わされていない状態を示す説明図であり、図６は図２の第１及び第２壁部５１，５２が第１及び第２外壁材２，３に沿わされている状態を示す説明図である。
【００２４】
図５及び図６に示すように、建築躯体１に固定されたベース部材６には係合溝６０が設けられている。係合溝６０の両側の側壁には、各側壁から互いに近づくように突出された係合爪６０ａが形成されている。係合溝６０の係合爪６０ａは、係合溝６０の開放端側で互いに最も離れており、係合溝６０の底部に向かうにつれて互いに近づくように形成されている。外壁用役物５の第１及び第２延出部５３，５４は、第１及び第２壁部５１，５２を第１及び第２外壁材２，３に沿わせるように第１及び第２壁部５１，５２を第１及び第２外壁材２，３に押付ける過程で、ベース部材６の係合溝６０に挿入される。
【００２５】
上述のように、第１及び第２壁部５１，５２に外力を加えていない状態での第１壁部５１と第２壁部５２との間の角度θ２は、第１外壁材２の外面２ａの延長面と第２外壁材３の外面３ａの延長面とがなす角度θ１よりも大きい（図１及び図３参照）。このため、図６に示すように第１及び第２壁部５１，５２を第１及び第２外壁材２，３に沿わせるように第１及び第２壁部５１，５２を第１及び第２外壁材２，３に押付けると、第１及び第２外壁材２，３からの反力を受けて第１及び第２壁部５１，５２間が近づけられる。
【００２６】
図６に示すように第１及び第２壁部５１，５２間が近づけられると、第１及び第２延出部５３，５４の挿入方向に沿う係合溝６０の係合爪６０ａの奥で、第１及び第２延出部５３，５４の係合爪５３ａ，５４ａが互いに離れるように変位される。このように第１及び第２壁部５１，５２が第１及び第２外壁材２，３に沿わされることにより第１及び第２延出部５３，５４の係合爪５３ａ，５４ａが互いに離れるように変位されることで、係合溝６０への挿入時に第１及び第２延出部５３，５４の係合爪５３ａ，５４ａの外端間距離ｔ１を狭くしつつ、係合溝６０内で第１及び第２延出部５３，５４の係合爪５３ａ，５４ａの外端間距離ｔ１を広くすることができる。これによって、ベース部材６に対する外壁用役物５の係合の容易さとベース部材６に対する外壁用役物５の係合強度とを両立できる。
【００２７】
第１及び第２延出部５３，５４の係合爪５３ａ，５４ａを離間させる力は、第１及び第２壁部５１，５２が第１及び第２外壁材２，３に沿わされているときに常に作用する。すなわち、第１及び第２延出部５３，５４の係合爪５３ａ，５４ａの外端は、係合溝６０の側壁に対して常に押付けられる。従って、上述のように第１及び第２延出部５３，５４の係合爪５３ａ，５４ａが互いに離れるように変位されることで、第１及び第２延出部５３，５４の係合爪５３ａ，５４ａと係合溝６０の側壁との間の摩擦力を大きくすることができ、建築物の高さ方向に沿って外壁用役物５がずれにくくすることができる。
【００２８】
次に、実施例を挙げる。本発明者らは、４００ｍｍの長さに切断した各部材を組合せて、図１に示す外壁構造の試験体を作製した。外壁用役物５については、下記の表１に示すように角度θ２のみを変更した複数の供試材（実施例１〜５）を用意した。そして、それぞれの外壁用役物５について以下の評価を行った。
【００２９】
【表１】
2015175208.tif 000003
【００３０】
（１）施工性評価
実施例１〜５について、ベース部材６の係合溝６０に係合爪５３ａ，５４ａを差し込む際に必要とされる力をオートグラフにより測定した。この必要とされる力が適度に小さい方が、施工性が良好と評価できる。表１では、０．１ｋＮ以上０．３ｋＮ未満の押込力で嵌る場合を◎、０．１ｋＮ未満の押し込みで嵌るものを○、０．３ｋＮ以上で押し込む必要があるものを×として表している。
【００３１】
（２）係合性評価
また、実施例１〜５について、係合爪５３ａ，５４ａと係合溝６０の係合爪６０ａの係合性をオートグラフによる引っ張り試験にて評価した。一定量の引張荷重を受けても係合が外れない場合に、係合性が良好であると評価できる。表１では、０．２ｋＮの引っ張り荷重で外れないものを◎、外れるものを×として表している。
【００３２】
（３）滑り抵抗評価
また、実施例１〜５について、ベース部材６の係合溝６０に係合爪５３ａ，５４ａを差し込んだ後に、外壁用役物５を上から押して、縦方向に外壁用役物５を移動させるために必要とされる力をオートグラフにより測定した。外壁用役物５を移動させるために適度な力が必要とされる場合に滑り抵抗が良好であると評価できる。すなわち、あまりに小さな力で外壁用役物５を移動させることができると好ましくないと評価される。表１では、外壁用役物５を上から押して、０．１ｋＮ以上０．２ｋＮ未満の押し込みで動くものを◎、０．２ｋＮ以上で動くものを○、０．１ｋＮ未満で動くものを×として表している。
【００３３】
（４）意匠性評価
実施例１〜５を用について、ベース部材６の係合溝６０に係合爪５３ａ，５４ａを差し込んだ状態の外観を目視により確認した。表１では、問題のなかったものを◎、第１外壁材２と第１壁部５１との間又は第２外壁材３と第２壁部５２との間の押し付けがあまく、それらの間に隙間が目立つものを○、θ２の角度を保とうとする角部５０ａとθ１に合わせて広がろうとする外壁用役物５の第１及び第２壁部５１，５２の影響で、第１及び第２壁部５１，５２の表面に外観を阻害するような反りが発生したものを×として表している。
【００３４】
表１に示す結果から、第１及び第２壁部５１，５２に外力が加えられていない状態での外壁用役物５の裏側における第１壁部５１と第２壁部５２との間の角度θ２を、第１外壁材２の外面２ａの延長面と第２外壁材３の外面３ａの延長面とがなす角度θ１の１１７％以下かつ１０５％以上とすることで、施工性、係合性、滑り抵抗及び意匠性の全てが良好と評価できる。但し、実用性の観点からは、角度θ２が角度θ１の１３４％以下かつ１０１％以上の角度であっても十分な場合もある。
【００３５】
このような外壁用役物５では、第１及び第２壁部５１，５２に外力が加えられていない状態での外壁用役物５の裏側における第１壁部５１と第２壁部５２との間の角度θ２が第１外壁材２の外面２ａの延長面と第２外壁材３の外面３ａの延長面とがなす角度θ１よりも大きくされており、第１及び第２壁部５１，５２が第１及び第２外壁材２，３に押付けられて、第１壁部５１が第１外壁材２の外面２ａに沿わされるとともに、第２壁部５２が第２外壁材３の外面３ａに沿わされることで、第１延出部５３の係合爪５３ａと第２延出部５４の係合爪５４ａとが互いに離れる方向に変位されるので、係合溝６０への挿入時に第１及び第２延出部５３，５４の係合爪５３ａ，５４ａの外端間距離ｔ１を狭くしつつ、係合溝６０内で第１及び第２延出部５３，５４の係合爪５３ａ，５４ａの外端間距離ｔ１を広くすることができ、ベース部材６に対する外壁用役物５の係合の容易さとベース部材６に対する外壁用役物５の係合強度とを両立できる。
また、第１及び第２延出部５３，５４の係合爪５３ａ，５４ａの外端を係合溝６０の側壁に対して常に押付けることができ、建築物の高さ方向に沿って外壁用役物５がずれにくくすることができる
【００３６】
また、第１及び第２壁部５１，５２に外力が加えられていない状態での外壁用役物５の裏側における第１壁部５１と第２壁部５２との間の角度θ２は、第１外壁材２の外面２ａの延長面と第２外壁材３の外面３ａの延長面とがなす角度θ１の１１７％以下かつ１０５％以上の角度であるので、容易に係合することができるとともに、優れた意匠性と、係合後の強度を保つことができる。
【００３７】
なお、実施の形態では、化粧部５０と、第１壁部５１、第２壁部５２、第１延出部５３及び第２延出部５４とが一枚の板材により構成されるように説明しているが、例えば上述した特許文献１等に示されているように化粧部５０と、第１壁部５１、第２壁部５２、第１延出部５３及び第２延出部５４とを別体により構成してもよい。
【００３８】
また、実施の形態では、化粧部５０と、第１壁部５１及び第２壁部５２とが別であるように説明しているが、第１壁部５１及び第２壁部５２が化粧部５０を兼ねてもよい。第１壁部５１及び第２壁部５２が化粧部５０を兼ねる場合、第１壁部５１及び第２壁部５２は互いに一体に形成される。
【００３９】
また、実施の形態では、第１壁部５１及び第１延出部５３が一枚の板部材により形成されるように説明しているが、例えば溶接や接着等の接続方法により第１壁部を構成する板材に第１延出部を構成する板材を接続してもよい。第１延出部が第１壁部から延出されるとは、第１延出部が第１壁部と接続されており、第１延出部が第１壁部と一体に変位するとの意味を含む。第２壁部５２及び第２延出部５４についても同様である。
【符号の説明】
【００４０】
１  建築躯体
２  第１外壁材
３  第２外壁材
５  外壁用役物
５１  第１壁部
５２  第２壁部
５３  第１延出部
５４  第２延出部
５３ａ，５４ａ  係合爪
【図１】
2015175208.tif 000004
【図２】
2015175208.tif 000005
【図３】
2015175208.tif 000006
【図４】
2015175208.tif 000007
【図５】
2015175208.tif 000008
【図６】
2015175208.tif 000009